【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
少なくとも光学素子とコイルとを有する可動部と、前記ミラーを回転可能に支持する複数の支持部材と、
前記支持部材の一部を固定するベースと、前記ベースに固定された磁気回路とを有する光路偏向装置において、
前記コイルを前記光学素子の外周を取り囲むように配設するとともに、前記ミラーの回転中心を前記コイルに発生する力の中心に略一致させたことを特徴とする光路偏向装置。
【請求項２】
少なくとも光学素子とコイルを有する可動部と、前記ミラーを回転可能に支持する複数の支持部材と、
前記支持部材の一部を固定するベースと、前記ベースに固定された磁気回路とを有する光路偏向装置において、
前記コイルを前記光学素子の外周を取り囲むように配設し、前記支持部材を前記コイルの外側に配置したことを特徴とする光路偏向装置。
【請求項３】
前記支持部材を前記コイルの外側面に直接固定したことを特徴とする第２項記載の光路偏向装置。
【請求項４】
少なくとも光学素子とコイルとを有する可動部と、前記ミラーを回転可能に支持する複数の支持部材と、
前記支持部材の一部を固定するベースと、前記ベースに固定された磁気回路とを有する光路偏向装置において、
前記コイルを前記光学素子の外周を取り囲むように配設し、前記支持部材を前記コイルの幅を挟むように前記可動部の外側面に固着したことを特徴とする光路偏向装置。
【手続補正２】
【補正対象書類名】明細書
【補正対象項目名】０００６
【補正方法】変更
【補正の内容】
【０００６】
【課題を解決するための手段】
本発明は、前記目的を達成するため、
１．少なくとも光学素子とコイルとを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設するとともに、前記ミラーの回転中心を前記コイルに発生する力の中心に略一致させたことを特徴とする光路偏向装置とした。
２．少なくとも光学素子とコイルを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設し、前記支持部材を前記コイルの外側に配置したことを特徴とする光路偏向装置とした。さらに、前記コイルの外側に配置した支持部材を前記コイルの外側面に直接固定したことを特徴とする光路偏向装置とした。
３．少なくとも光学素子とコイルとを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設し、前記支持部材を前記コイルの幅を挟むように前記可動部の外側面に固着したことを特徴とする光路偏向装置とした。


【手続補正３】
【補正対象書類名】明細書
【補正対象項目名】００２０
【補正方法】変更
【補正の内容】
【００２０】
以上のごとく、第１実施の形態によれば下記のような効果を有する。支持部材であるバネ１２をコイル１０の外側に配置したので、支持部材の回転中心軸Ｃとコイル１０に発生する力の中心を容易に一致させることができ、共振の少ない良好な応答特性が得られる。
そのため、可動部１４を回転したときに回転軸が軸Ｃとずれたり、傾いたりすることを防止でき良好な駆動特性が得られる。さらに、可動部１４が軸Ｃの回りに回転する振動モード以外の振動モード例えば、可動部１４がＺ方向に移動する振動モード等が生じにくくなる。


【手続補正４】
【補正対象書類名】明細書
【補正対象項目名】００３１
【補正方法】変更
【補正の内容】
【００３１】
以上の実施の形態に記載された内容は、以下の発明としても捉えることもできる。
１． 少なくとも光学素子とコイルとを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設するとともに、前記ミラーの回転中心を前記コイルに発生する力の中心に略一致させたことを特徴とする光路偏向装置。第１項によれば、支持部材の回転中心軸とコイルに発生する力の中心を一致させることができ、共振の少ない良好な応答特性が得られる。
２．少なくとも光学素子とコイルを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設し、前記支持部材を前記コイルの外側に配置したことを特徴とする光路偏向装置。第２項によれば、コイルによりミラーが補強され剛性が高くなる。また、支持部材の回転中心軸とコイルに発生する力の中心を一致させることが容易で共振の少ない応答特性が得られる。
３．前記支持部材を前記コイルの外側面に直接固定したことを特徴とする第２項記載の光路偏向装置。第３項の光路偏向装置によれば、支持部材をコイルの外側面に直接固定したので、支持部材をミラーの中心部に近づけることができ光路偏向装置を小型にできる。
４．少なくとも光学素子とコイルとを有する可動部と、前記ミラーを回転可能に支持する複数の支持部材と、前記支持部材の一部を固定するベースと、前記ベースに固定された磁気回路とを有する光路偏向装置において、前記コイルを前記光学素子の外周を取り囲むように配設し、前記支持部材を前記コイルの幅を挟むように前記可動部の外側面に固着したことを特徴とする光路偏向装置。第４項によれば、ホルダーの回転中心軸とコイルに発生する力の中心を容易に一致させることができ、共振の少ない良好な応答特性が得られる。さらに、光路偏向装置を小型にできる。


【手続補正５】
【補正対象書類名】明細書
【補正対象項目名】００３３
【補正方法】変更
【補正の内容】
【００３３】
請求項２の光路偏向装置によれば、少なくともミラーとコイルを有する可動部と、前記ミラーを回転可能に支持する支持部材と、前記支持部材の一部を固定するベースと、前記ベースに固定された磁気回路とを有する光路偏向装置において、前記コイルを前記ミラーの外周を取り囲むように配設し、前記支持部材を前記コイルの外側に配置したので、可動部の剛性が高くなり共振周波数が高くなるとともに、支持部材の回転中心軸とコイルに発生する力の中心を容易に一致させることができ共振の少ない良好な応答特性が得られる。また、請求項３によれば、請求項２の光路偏向装置においてコイルの外側に配置した支持部材を前記コイルの外側面に直接固定したので、支持部材をミラーの中心部に近づけることができ光路偏向装置を小型にできる。
【手続補正６】
【補正対象書類名】明細書
【補正対象項目名】００３４
【補正方法】変更
【補正の内容】
【００３４】
請求項４の光路偏向装置によれば、少なくともミラーとコイルとを有する可動部と、前記ミラーを回転可能に支持する支持部材と、前記支持部材の一部を固定するベースと、前記ベースに固定された磁気回路とを有する光路偏向装置において、前記コイルを前記ミラーの外周を取り囲むように配設し、前記支持部材を前記コイルの幅を挟むように前記可動部の外側面に固着したので、共振の少ない良好な応答特性が得られる。さらに、光路偏向装置を小型にできる。